(57)【要約】【課題】強度に優れ、しかも、安価で大量に生産でき、さらに、形状、重量、デザインなどが異なる多種類のものの製作が容易な疑似餌などの魚釣り用の集魚部材を提供する。【解決手段】金属の鋳造成形または金属板の打ち抜き成形により中央部に対して両端部が細い形状に形成された本体部２を有する。本体部２には、表面より凹んだ複数個の凹部３ａ〜３ｄが設けられている。各凹部３ａ〜３ｄに光の透過または反射によって輝く光輝材５と蓄えた光を放って輝く蓄光材とを含む合成樹脂製の化粧部材４ａ〜４ｄが装着されている。【選択図】図１
2012005417.tif 000002
【特許請求の範囲】
【請求項１】
金属材、強靱な合成樹脂材、石材のいずれかにより中央部に対して両端部が細い形状に一体形成された本体部を有し、本体部には、表面より凹んだ少なくとも１個の凹部が設けられ、その凹部に光の透過または反射によって輝く光輝材と蓄えた光を放って輝く蓄光材との少なくとも一方を含むガラス製または合成樹脂製の化粧部材が装着されて成る魚釣り用の集魚部材。
【請求項２】
前記本体部は、金属の鋳造成形または金属板の打ち抜き成形により形成されている請求項１に記載された魚釣り用の集魚部材。
【請求項３】
前記本体部は、疑似餌の本体部であり、釣り糸に取付可能かつ釣り針が取付可能に形成されている請求項１または２に記載された魚釣り用の集魚部材。
【請求項４】
前記本体部は、錘の本体部であり、釣り糸に取付可能に形成されている請求項１または２に記載された魚釣り用の集魚部材。
【請求項５】
前記凹部は、本体部を貫通する凹部である請求項１に記載された魚釣り用の集魚部材。
【請求項６】
前記凹部は、本体部を貫通しない底のある凹部である請求項１に記載された魚釣り用の集魚部材。
【発明の詳細な説明】
【技術分野】
【０００１】
この発明は、水中の魚の興味を引きつけて集める機能を有する疑似餌、錘などの魚釣り用の集魚部材に関する。
【背景技術】
【０００２】
例えば、疑似餌は、魚の形状に似た外形の本体部を有し、前端部（頭部）および後端部（尾部）は先が細くなっている。ガラス製の疑似餌は、魚の興味を引きつけて集めるために、本体部の内部に光輝性の粒子などが設けてあり、外部からの光が粒子に当たると、光が四方へ散乱して光り輝くようになっている。疑似餌の前端部や後端部は先が細いため、強度に乏しく、破損のおそれがある。ガラスに代えて合成樹脂を用いて本体部を形成すると、破損のおそれは少なくなるが、軽量であるため、錘を設けて沈降速度を高めかつ水の流れの影響を受けないようにする必要がある。
【０００３】
上記の課題を解決するため、本願の出願人は、先般、ガラス製または合成樹脂製の本体部の長さ方向に沿う両縁の各端面にそれぞれ金属製の縁枠を装着して本体部の全体の強度を高めたものを提案した（例えば、特許文献１参照）。この疑似餌は、魚の興味を引きつけて集めることが可能なように、本体部に粉状、粒状、薄膜状の光輝材や蓄光材が埋設されており、外部からの光が光輝材に当たって四方へ散乱したり、光を蓄えた蓄光材が夜間に光を放ったりするようになっている。
【先行技術文献】
【特許文献】
【０００４】
【特許文献１】特許第４４３１１８６号公報
【発明の概要】
【発明が解決しようとする課題】
【０００５】
しかしながら、上記した構成の疑似餌では、２本の縁枠は例えばステンレス鋼のフラットバー材を用いて製作されているが、本体部の形状に合わせた曲げ加工が必要であるため、縁枠の製作に手数がかかるだけでなく、各縁枠を本体部の両縁の各端面に沿って装着しかつ前端部および後端部を一体結合する必要があるため、組み立てにも手数がかかる。そのため、製作コストが嵩み、大量生産にも不向きである。また、形状、重量、デザインなどが異なる多種類の疑似餌を製作するのが容易でなく、製品の多様化をはかることが困難である。
【０００６】
この発明は、上記した問題に着目してなされたもので、縁枠によって本体部の強度を高めることに代え、本体部を金属の鋳造成形などにより一体形成することにより、強度に優れ、しかも、安価で大量に生産でき、さらに、形状、重量、デザインなどが異なる多種類のものの製作が容易な疑似餌などの魚釣り用の集魚部材を提供することを目的とする。
【課題を解決するための手段】
【０００７】
この発明による魚釣り用の集魚部材は、金属材、強靱な合成樹脂材、石材のいずれかにより中央部に対して両端部が細い形状に一体形成された本体部を有するもので、本体部には、表面より凹んだ少なくとも１個の凹部が設けられ、その凹部に光の透過または反射によって輝く光輝材と蓄えた光を放って輝く蓄光材との少なくとも一方を含むガラス製または合成樹脂製の化粧部材が装着されて成る。
【０００８】
この発明の魚釣り用の集魚部材では、金属材、強靱な合成樹脂材（例えば、ＦＲＰのような強化プラスチック）、石材のいずれかにより本体部が一体形成されているので、強度に優れ、破損のおそれがなく、そのうえ、本体部の凹部に化粧部材が装着されているので、化粧部材が簡単に脱落することがない。化粧部材が光輝材を含んでいれば、外部からの光が光輝材に当たって四方へ散乱したり、光輝材の色調が見る角度によって変化したりして、魚の興味を引きつける。また、蓄光材を含んでいれば、自然光および人工光が蓄光材に蓄えられ、暗くなっても蓄光材が光を放ち、夜間や水深の深い所であっても魚の興味を引きつける。
【０００９】
前記本体部は、好ましくは金属の鋳造成形または金属板の打ち抜き成形により形成されるが、これに限られるものではない。
【００１０】
この発明は、疑似餌および錘に適用することが可能である。疑似餌に適用する場合は、前記本体部は疑似餌の本体部であり、釣り糸に取付可能かつ釣り針が取付可能に形成されている。また、錘に適用する場合は、前記本体部は錘の本体部であり、釣り糸に取付可能に形成されている。
【００１１】
この発明による魚釣り用の集魚部材において、前記凹部として種々の態様のものが考えられるが、ひとつの態様は、本体部を貫通する凹部であり、他のひとつの態様は、本体部を貫通しない底のある凹部である。凹部が有底であれば、強度が一層高められるだけでなく、凹部に合成樹脂を流し込むことで化粧部材の成形と装着とが一挙に行える。なお、底に孔を設けることも可能であり、孔の大きさなどによって本体部の重量調整が可能である。
【００１２】
この発明の上記した構成において、本体部を金属の鋳造成形により形成する場合、好ましくは、アルミニウムや亜鉛のダイカストにより形成する。また、金属板の打ち抜き成形により形成する場合は、鉄板やステンレス板をプレス機により打ち抜くことで容易に形成することができる。
【００１３】
また、化粧部材はガラスまたは合成樹脂によって形成されるが、透明、半透明、不透明を問わず、無色、着色を問わない。ガラスには板ガラスの他、石英ガラスなどの強化ガラスを用いることができる。合成樹脂はアクリル樹脂が好適であるが、これに限られない。合成樹脂として紫外線を遮断するものを用いれば、化粧部材の劣化が抑えられる。化粧部材の凹部への装着は、化粧部材を合成樹脂で形成する場合は、凹部へ材料を流し込むことで成形と装着とが一挙に行える。化粧部材は予め形成したものを凹部に嵌め込んで接着剤により接着してもよい。
【００１４】
さらに、光輝材は、例えば金粉や色粉のような粉状や粒状のもの、アルミ箔やマイカのような薄膜状のものなどを用いることができ、化粧部材の表面に、メッキ、焼付塗装、フィルム塗装などによって光輝材や蓄光材を付設することができる。
【発明の効果】
【００１５】
この発明によれば、強度に優れ、しかも、安価で大量に生産できる疑似餌や錘が得られ、加えて、形状、重量、デザインなどが異なる多種類のものを製作できる。
【図面の簡単な説明】
【００１６】
【図１】この発明が実施された疑似餌の外観を示す斜視図である。
【図２】図１の実施例の本体部の分解斜視図である。
【図３】図１の実施例の本体部の縦断面図である。
【図４】他の実施例の本体部の分解斜視図である。
【図５】図４の実施例の本体部の縦断面図である。
【図６】図４の実施例に用いられる化粧部材の分解斜視図である。
【図７】他の実施例の本体部の分解斜視図である。
【図８】図７の実施例の本体部の縦断面図である。
【図９】他の実施例の本体部の分解斜視図である。
【図１０】図９の実施例の本体部の縦断面図である。
【図１１】この発明が実施された錘の外観を示す斜視図である。
【図１２】図１１の実施例の水平断面図である。
【発明を実施するための形態】
【００１７】
図１は、この発明の一実施例である疑似餌１の外観を示している。図示例の疑似餌１は、図２および図３に示すように、前後に細長くかつ長さ中央部の幅に対して前後端部の幅が小さい板状の本体部２を有している。この本体部２は、ステンレス板の打ち抜き成形により形成され、表裏各面より凹んだ複数個の凹部３ａ〜３ｄを有している。なお、本体部２はアルミニウムや亜鉛のダイカストによって形成してもよい。この実施例の各凹部３ａ〜３ｄは、表裏各面を貫通する円形の貫通孔により形成されており、各凹部３ａ〜３ｄに合成樹脂製の化粧部材４ａ〜４ｄが嵌め込まれかつ接着剤により接着されている。
【００１８】
各化粧部材４ａ〜４ｄは、各凹部３ａ〜３ｄの表裏の各開口面より露出し、その露出する面に光の透過または反射によって輝く光輝材５が付設されている。また、各化粧部材４ａ〜４ｄには、蓄えた光を放って輝く蓄光材（図示せず）が混入されている。なお、図中、６，６は魚の目を象った合成樹脂板であり、本体部２の前端部の表裏両面に接着剤によりそれぞれ接着されている。
【００１９】
本体部２の前後端部にはそれぞれ貫通孔７Ａ，７Ｂが形成されており、各貫通孔７Ａ，７Ｂにそれぞれ釣り針８または釣り糸９を取り付けるためのリング形状の連結金具１０，１１が取り付けられている。一方の連結金具１０には釣り糸９と釣り針８が、他方の連結金具１１には釣り針８が、それぞれ取り付けられている。なお、釣り針８は後側の連結金具１１にのみ取り付けてもよい。また、図２に一点鎖線で示すように、本体部２の内部に、各貫通孔７Ａ，７Ｂの外周に沿って、ステンレス製のワイヤーｗを埋設して孔周縁を強化することもできる。
【００２０】
図４および図５は、疑似餌１の本体部２の他の実施例を示している。図示例の本体部２は、表裏各面を貫通する１個の凹部３が設けられたもので、凹部３に合成樹脂製の化粧部材４が嵌め込まれかつ接着剤により接着されている。
【００２１】
図示例の化粧部材４は、図６に示すように、同じ厚みの２枚の透明な板ガラスより成る板材４０，４０を重ね合わせ、その外周縁を接着剤により一体接合して成るものである。接着剤はその用途に応じて透明または不透明なものを用いるが、ＵＶ接着剤などの接着剤を用いて隙間が生じないように板材４０，４０間の外周縁部を完全にシールする。
【００２２】
２枚の板材４０，４０の重ね合わせ部分には、化粧部材２の強度を高めるための網状の補強部材２１が介在させてある。この実施例では金属製の補強部材２１を用いているが、これに限らず、ナイロン製やテトロン（登録商標）製などの補強部材を用いてもよい。
補強部材２１は、所定の直径の線材２２を縦横に編んで形成されている。板材４０，４０間には、補強部材２１の各網目内に線材２２の直径に相当する隙間が存在する。なお、線材２２に沿って接着剤を塗布すれば板材４０，４０の一体化が高められる。
補強部材２１の一部の網目２３には様々な色彩を付した光輝材５が、他の一部の網目２４には蓄光材１２が、それぞれ配設されている。その他の網目２５は介在物が存在しない透光部になっている。なお、この実施例では、補強部材２１として網状のものを用いているが、これに限らず、シート状のものを用いてもよい。
また、図６において一点鎖線で示すように、複数に分割された小片を接合して化粧部材４を構成するようにすれば、小片のいずれかが破損しても、その破損はその小片にとどめることができる。
【００２３】
図７および図８は、疑似餌１の本体部２のさらに他の実施例を示している。図示例の本体部２は、表裏各面に貫通しない底２０のある凹部３０，３０が設けられたものである。各凹部３０には合成樹脂製の化粧部材４Ａ，４Ｂがそれぞれ装着されている。各化粧部材４Ａ，４Ｂは溶融した合成樹脂を各凹部３０へ流し込んで形成されるもので、各化粧部材４Ａ，４Ｂの表面に光輝材および蓄光材（図示せず）が塗着されている。
【００２４】
図９および図１０は、疑似餌１の本体部２のさらに他の実施例を示している。図示例の本体部２は、上記した図７、８の実施例の底２０に貫通孔３１を形成したものである。表裏の各凹部３０には合成樹脂製の化粧部材４Ａ，４Ｂがそれぞれ嵌め込まれて接着剤により接着されている。各化粧用の化粧部材４Ａ，４Ｂの表面には光輝材および蓄光材（図示せず）が塗着されている。
【００２５】
上記した図１〜図１０は、疑似餌１の各実施例を示すが、この発明は、疑似餌に限らず、図１１および図１２に示すような錘１００にも実施できる。図示例の錘１００は、アルミニウムや亜鉛のダイカストにより細長くかつ長さ中央部の径に対して両端部の径が小さい本体部２を有している。この本体部２には、外周面より凹んだ複数個の凹部３０ａ〜３０ｄが設けられている。各凹部３０ａ〜３０ｄには合成樹脂製の化粧部材４ａ〜４ｄが嵌め込まれかつ接着剤により接着されている。なお、図中、７Ａ．７Ｂは釣り糸９を接続するための貫通孔である。
【００２６】
図１〜図３に示す実施例の疑似餌１において、本体部２はステンレス板の打ち抜き成形により形成されているので、強度に優れ、破損のおそれがない。そのうえ、本体部２に設けられた凹部３ａ〜３ｄに化粧部材４ａ〜４ｄが装着されているので、化粧部材４ａ〜４ｄが簡単に脱落することがない。また、化粧部材４ａ〜４ｄは光輝材５を含んでいるので、外部からの光が光輝材５に当たって四方へ散乱したり、光輝材５の色調が見る角度によって変化したりして、魚の興味を引きつける。また、化粧部材４ａ〜４ｄは蓄光材を含んでいるので、自然光および人工光が蓄光材に蓄えられ、暗くなっても蓄光材が光を放ち、夜間や水深の深い所であっても魚の興味を引きつける。
なお、他の実施例の疑似餌１（図４〜図１０）や錘１００（図１１〜図１２）も上記と同様の作用、効果が得られるもので、ここでは説明を省略する。
【符号の説明】
【００２７】
１    疑似餌
２    本体部
３，３ａ〜３ｄ，３０  凹部
４，４ａ〜４ｄ，４Ａ，４Ｂ  化粧部材
５  光輝材
１２  蓄光材
【図１】
2012005417.tif 000003
【図２】
2012005417.tif 000004
【図３】
2012005417.tif 000005
【図４】
2012005417.tif 000006
【図５】
2012005417.tif 000007
【図６】
2012005417.tif 000008
【図７】
2012005417.tif 000009
【図８】
2012005417.tif 000010
【図９】
2012005417.tif 000011
【図１０】
2012005417.tif 000012
【図１１】
2012005417.tif 000013
【図１２】
2012005417.tif 000014